Podtech/llm-jp-corpus-v4-ja_patent huggingface dataset:
(57)【要約】【目的】複数のキートップを一体成形した電子機器において、隣接するキートップへの影響をなくし誤作動を防止する。【構成】樹脂製のキートッププレート６にスリットを形成することにより複数のキートップ４が上下左右に配置された電子機器のキートップ構造において、各キートップは、連結部Ｒおよびヒンジ部Ｈを有する細長いヒンジアーム９によりキートッププレートに連結され、前記ヒンジ部と連結部は、キートップに対して対向した位置に配置され、左右に隣接するキートップのヒンジ部と連結部の位置は同じとし、上下に隣接するキートップのヒンジ部と連結部の位置はキートップに対して逆方向になるように配置した構成。【選択図】図２
2006040746.tif 000002
【特許請求の範囲】
【請求項１】
樹脂製のキートッププレートにスリットを形成することにより複数のキートップが上下左右に配置された電子機器のキートップ構造において、各キートップは、連結部およびヒンジ部を有する細長いヒンジアームによりキートッププレートに連結され、前記ヒンジ部と連結部は、キートップに対して対向した位置に配置され、左右に隣接するキートップのヒンジ部と連結部の位置は同じとし、上下に隣接するキートップのヒンジ部と連結部の位置はキートップに対して逆方向になるように配置したことを特徴とする電子機器のキートップ構造。
【発明の詳細な説明】
【技術分野】
【０００１】
本発明は、防犯機器、電話機、キーボード等の電子機器のキートップ構造に関する。
【背景技術】
【０００２】
上記電子機器に用いられるテンキーや機能キーのキートップは従来、個々に製作され、キートップの数が部品点数となってコスト高の要因となっていた。しかし、近年は組み立て工数の削減からキートップのモールド成型時に所定数のキートップを整列して枠形のランナーに一体成型しておき、そのまま電話機等に組み込むようになってきた（特許文献１参照）。
【特許文献１】特開６−１０３８５３号公報（図４参照）
【発明の開示】
【発明が解決しようとする課題】
【０００３】
上記特許文献１の図４においては、キートップを個々に一対の左右反対勝手のアームヒンジと共に一体形成し、樹脂材全体の弾性により平面に対して垂直方向に変位可能にバネ支持している。しかしながら、この方式では、キートップを上下２つのアームヒンジで支持しているため、当該キートップの押圧が隣接する上下のキートップに影響を及ぼす場合があり、誤作動の原因になってしまうという問題を有している。
【０００４】
本発明は、上記従来の問題を解決するものであって、複数のキートップを一体成形した電子機器において、隣接するキートップへの影響をなくし誤作動を防止することができるキートップ構造を提供することを目的とする。
【課題を解決するための手段】
【０００５】
上記目的を達成するために、本発明の電子機器のキートップ構造は、樹脂製のキートッププレートにスリットを形成することにより複数のキートップが上下左右に配置された電子機器のキートップ構造において、各キートップは、連結部およびヒンジ部を有する細長いヒンジアームによりキートッププレートに連結され、前記ヒンジ部と連結部は、キートップに対して対向した位置に配置され、左右に隣接するキートップのヒンジ部と連結部の位置は同じとし、上下に隣接するキートップのヒンジ部と連結部の位置はキートップに対して逆方向になるように配置したことを特徴とする。
【発明の効果】
【０００６】
本発明においては、複数のキートップを一体成形した電子機器において、隣接するキートップへの影響をなくし誤作動を防止することができる。
【発明を実施するための最良の形態】
【０００７】
以下、本発明の実施の形態を図面を参照しつつ説明する。図１および図２は、本発明の電子機器のキートップ構造の１実施形態を示し、図１（A）は電子機器の一部正面図、図１（B）は図１（Ａ）でカバーを取り外した状態を示す図、図１（Ｃ）はカバーの裏面図、図２（Ａ）は図１（Ｃ）のキートッププレートの詳細平面図、図２（Ｂ）は図２（Ａ）の一部拡大図である。
【０００８】
図１（Ａ）は電子機器の１例である防犯機器を示し、機器本体１には前後に開閉自在にカバー２（被装着板）が装着され、カバー２には複数の開口３が形成され、各開口３からキートップ４が上下左右に突出するように構成されている。キートップ４は、「警戒」、「解除」、「在宅」、「復旧」等の機能キーと、数字の０〜９のテンキーとからなっている。
【０００９】
図１（Ｂ）に示すように、機器本体１には、キートップ４に対向する位置にスイッチ５が配置されており、キートップ４を押圧すると、それに対向するスイッチ５が作動するように構成されている。図１（Ｃ）はカバーの裏面図であり、図１（Ａ）の各キートップ４は樹脂製のキートッププレート６に一体成型されており、キートッププレート６はカバー２に一体成型された複数の係止突起７に嵌合され溶着されている。
【００１０】
図２（Ａ）は図１（Ｃ）のキートッププレートの詳細平面図である。各キートップ４は樹脂製のキートッププレート６に一体成型されている。各キートップ４は、連結部Ｒおよびヒンジ部Ｈを有する細長いヒンジアーム９によりキートッププレート６に連結されている。このヒンジアーム９を形成するためにキートッププレート６には枠６ａを残してスリット（一部をハッチングで示す）が形成されている。なお、１０は、前記係止突起７に嵌合される係止孔である。
【００１１】
図２（Ｂ）に、より明瞭に示すように、ヒンジ部Ｈと連結部Ｒは、キートップ４に対して対向した位置に配置されており、これによりヒンジアーム９の長さを長くし、樹脂材の弾性により平面に対して垂直方向に変位可能にキートップ４をバネ支持している。左右に隣接するキートップ４のヒンジ部Ｈと連結部Ｒの位置は、同じであるが、上下に隣接するキートップ４のヒンジ部Ｈと連結部Ｒの位置は、上下のヒンジ部Ｈと連結部Ｒの位置がキートップ４に対して逆方向になるように配置している。これにより、上下の連結部Ｒの距離を離して上下に隣接するキートップ４への影響をなくしている。
【図面の簡単な説明】
【００１２】
【図１】本発明の電子機器のキートップ構造の１実施形態を示し、図１（A）は電子機器の一部正面図、図１（B）は図１（Ａ）でカバーを取り外した状態を示す図、図１（Ｃ）はカバーの裏面図でる。
【図２】図２（Ａ）は図１（Ｃ）のキートッププレートの詳細平面図、図２（Ｂ）は図２（Ａ）の一部拡大図である。
【符号の説明】
【００１３】
４…キートップ、６…キートッププレート、９…ヒンジアーム
Ｒ…連結部、Ｈ…ヒンジ部
【図１】
2006040746.tif 000003
【図２】
2006040746.tif 000004
(57)【要約】【課題】  本発明は電子やホールの移動度が良好で、シリコンとＳｉＧｅ層の界面でのミスフィット転位による貫通転位が少ない歪みＳＯＩ基板を提供する。【解決手段】  本発明の歪みＳＯＩ基板は、シリコン基板の上に、埋め込み絶縁膜層、歪み誘起絶縁膜層、歪みシリコン層が順次形成された歪みＳＯＩ基板である。好ましくは、歪み誘起絶縁膜層と歪みシリコン層の、室温から１０００℃までの平均熱膨張係数の差が、０．５×１０-6／℃より大きい歪みＳＯＩ基板を使用することにより、電子やホールの移動度が良好で、かつリーク特性の良好なデバイスが得られる。【選択図】          無し【特許請求の範囲】
【請求項１】
シリコン基板の上に、埋め込み絶縁膜層、歪み誘起絶縁膜層、歪みシリコン層が順次形成された歪みＳＯＩ基板。
【請求項２】
前記歪みシリコン層に、塑性変形や転位がないことを特徴とする請求項１記載の歪みＳＯＩ基板。
【請求項３】
前記歪み誘起絶縁膜層が１０ｎｍ以下の膜厚のＳｉＯ2と歪み誘起絶縁膜層本体の２層になっていることを特徴とする請求項１記載の歪みＳＯＩ基板。
【請求項４】
前記歪み誘起絶縁膜層と歪みシリコン層の、室温から１０００℃までの平均熱膨張係数の差が、０．５×１０-6／℃より大きいことを特徴とする請求項１記載の歪みＳＯＩ基板。
【請求項５】
前記歪み誘起絶縁膜層が選択的に設けられていることを特徴とする請求項１記載の歪みＳＯＩ基板。
【請求項６】
ｐＭＯＳＦＥＴ形成領域の歪みシリコン層底部のみに、或いはｎＭＯＳＦＥＴ形成領域以外の歪みシリコン層底部のみに、歪みシリコンに圧縮応力が誘起されるような歪み誘起絶縁膜層が選択的に設けられていることを特徴とする請求項５記載の歪みＳＯＩ基板。
【請求項７】
ｎＭＯＳＦＥＴ形成領域の歪みシリコン層底部のみに、或いはｐＭＯＳＦＥＴ形成領域以外の歪みシリコン層底部のみに、歪みシリコンに引っ張り応力が誘起されるような歪み誘起絶縁膜層が選択的に設けられていることを特徴とする請求項５記載の歪みＳＯＩ基板。
【請求項８】
少なくともｐＭＯＳＦＥＴ領域の歪みシリコン層底部には歪みシリコン層に圧縮応力を誘起させる第一の歪み誘起絶縁膜層を有し、かつｎＭＯＳＦＥＴ領域の歪みシリコン層底部には歪みシリコン層に引っ張り応力を誘起させる第二の歪み誘起絶縁膜層を有することを特徴とする請求項５記載の歪みＳＯＩ基板。
【発明の詳細な説明】
【技術分野】
【０００１】
本発明は、電子やホールの移動度が良好で、かつミスフィット転位による貫通転位が少ない歪みＳＯＩ基板に関する。
【背景技術】
【０００２】
従来、歪みシリコン基板としては、格子定数がシリコンより大きいＳｉＧｅ（シリコンゲルマニウム）層の上にシリコン層をエピタキシャル成長させ、格子定数の違いにより、シリコン層に引張り応力を発生させるものがに用いられている。（例えば特許文献１）
【０００３】
【特許文献１】特表２０００−５１３５０７号公報
【発明の開示】
【発明が解決しようとする課題】
【０００４】
しかしながら、この方法では、シリコンとＳｉＧｅ層の界面でミスフィット転位が発生し、これに起因して歪みシリコン層に１×１０5／ｃｍ2以上の貫通転位が発生し、作成したデバイスにリーク電流が発生するという問題があった。
【０００５】
本発明は、このような上記問題点に鑑みてなされたものであって、電子やホールの移動度が良好で、かつミスフィット転位による貫通転位が少ない歪みＳＯＩ基板に関する。
【課題を解決するための手段】
【０００６】
本発明は、歪みシリコン基板に発生する応力をとして、主に格子定数の違いではなく熱膨張係数の違いを利用するすることを特徴としている。
【発明の効果】
【０００７】
本発明は、電子やホールの移動度が良好で、かつミスフィット転位による貫通転位が少ない歪みＳＯＩ基板を提供する。本発明の歪みＳＯＩ基板は、シリコン基板の上に、歪み緩和膜層、歪み誘起絶縁膜層、歪みシリコン層が順次形成された歪みＳＯＩ基板である。この基板を使用することにより、電子やホールの移動度が良好で、かつリーク特性の良好なデバイスを得ることができる。
【発明を実施するための最良の形態】
【０００８】
以下、本発明に係る歪みシリコン基板について説明するが、本発明はそれらに限定されるものではない。
【０００９】
本発明においては、歪みシリコン層基板に発生する応力として、主に格子定数の違いではなく熱膨張係数の違いを利用する。具体的には、シリコン基板の上に、熱処理過程で流動変形しシリコン基板と歪み誘起絶縁膜層間の熱膨張係数の違いによる応力を緩和する層、高融点の歪み誘起絶縁膜層、シリコン層からなる積層構造を高温で形成し、これを室温まで冷却する。シリコン基板と歪み誘起絶縁膜層間の熱膨張係数の差による応力は、埋め込み絶縁膜層の流動変形により緩和できる。
【００１０】
そして、高温で形成され、高温で応力がない歪み誘起絶縁膜層とシリコン層間には、冷却過程で応力が発生し、シリコン層にはシリコンの熱膨張係数が歪み誘起絶縁膜層の熱膨張係数より小さい場合は圧縮応力が、シリコンの熱膨張係数が歪み誘起絶縁膜層の熱膨張係数より大きい場合は引張応力が発生する。
【００１１】
シリコン層に引張応力が発生する場合は、電子の移動度が増加するため、ｐＭＯＳＦＥＴの特性改善に有効である。一方、シリコン層に引張応力が発生する場合は、ホールの移動度が増加するためｎＭＯＳＦＥＴの特性改善に有効である。
【００１２】
熱膨張係数の差によりシリコン層に電子やホールの移動度を改善できる歪みを付与するには、熱膨張係数の差が室温から１０００℃で測定した平均熱膨張係数の差が、０．５×１０-6以上であることが好ましい。この差が大きいほど、シリコンの歪み率は増加し、電子やホールの移動度は改善され好ましい。
【００１３】
ここで、室温から１０００℃で測定した平均熱膨張係数とは、材料を室温から１０００℃まで昇温した場合の線膨張量ＤＬを材料の室温での長さＬO、室温をｔｒとすると、
平均熱膨張係数＝ＤＬ／ＬO／（１０００−ｔｒ）
で算出できる。
【００１４】
ここで、平均熱膨張係数を室温から１０００℃間の平均値としたのは、測定の精度等を考慮したものである。本来、熱膨張係数は加熱温度から室温までの値が本質的であるが、通常線膨張係数の測定装置の材料を支持する部材としては熱膨張係数が小さく精度よい測定が可能な石英ガラスが用いられることが多く、測定可能範囲が高々１０５０℃であるためである。
【００１５】
本発明の特徴である、歪みシリコン層の貫通転位が少ない、ないしは存在しないという歪みシリコンを得るには、シリコンと歪み誘起絶縁膜層の格子定数の違いによりシリコン側に発生する応力が、歪み率換算で、０．５％以下であることが好ましい。
【産業上の利用可能性】
【００１６】
本発明のシリコンＳＯＩ基板の上に、埋め込み絶縁膜層、歪み誘起絶縁膜層、歪みシリコン層が順次形成された歪みＳＯＩ基板を使用することにより、電子やホールの移動度が良好で、かつリーク特性の良好なデバイスの製造が可能となる。
(57)【要約】【課題】  車両のインスツルメントパネル近辺から放射されたスピーカやブザー等の音が車両のドライバへ効率良く届くようにする。【解決手段】  車両のインスツルメントパネル近辺に、スピーカやブザー等の音源４がメータガラス6側へ向かって配置され、メータガラス6は音源４とドライバ頭部７付近をそれぞれ焦点とする略楕円曲面の一部を形成している。【選択図】        図１
2006160169.tif 000002
【特許請求の範囲】
【請求項１】
インスツルメントパネル近辺で音源または音道開口がメータガラス側へ向かって配置され、上記メータガラスが上記音源または上記音道開口とドライバの頭部付近とをそれぞれ焦点とする略楕円曲面の一部、もしくは、それと近似した曲面を形成した車両用音響装置。
【発明の詳細な説明】
【技術分野】
【０００１】
本発明は、車両における音響装置、とくに、メータガラスの曲面を利用した音響装置に関する。
【背景技術】
【０００２】
車両用スピーカ装置として、下記特許文献１に示された技術が従来から知られている。
【０００３】
【特許文献１】実開平３−１１１０９０号公報
【０００４】
この場合には、メータパネルの左右にそれぞれスピーカを設けて、立体音を再生するようにしているが、スピーカから放射される音は車室内へ拡散するために、車両のドライバへ効率よく音が到達するとは限らず、また、スピーカが設置されているために、メータパネルの美観を損ねるおそれがある。
【発明の開示】
【発明が解決しようとする課題】
【０００５】
本発明は、車両のインスツルメントパネル近辺から放射されたスピーカやブザー等の音が車両のドライバへ効率良く届くようにしようとするものである。
【課題を解決するための手段】
【０００６】
このため、本発明にかかる車両用音響装置は、インスツルメントパネル近辺で音源または音道開口がメータガラス側へ向かって配置され、上記メータガラスが上記音源または上記音道開口とドライバの頭部付近とをそれぞれ焦点とする略楕円曲面の一部、もしくは、それと近似した曲面を形成している。
【発明の効果】
【０００７】
従って、インスツルメントパネル近辺に配置された音源または音道開口からメータガラス側へ向かって音が放射されると、その音は、上記音源または音道開口を一方の焦点とする略楕円曲面、もしくは、それと近似した曲面のメータガラスにより反射されて、他方の焦点であるドライバの頭部付近へ効率良く集束される傾向があるので、ドライバはその音を容易に聴取することができる。
【発明を実施するための最良の形態】
【０００８】
【実施例】
【０００９】
以下、図面に示す本発明の各実施形態例について、同等部分にはそれぞれ同一符号を付けて説明する。
図１及び図２において、車両のメータフード１、または、ステアリングホイール２に連結された図示しないステアリングシャフトを覆うステアリングコラム３等のインスツルメントパネル近辺に、カーナビゲーションシステムやオーデイオ等のスピーカ、あるいは、警報用ブザー等の音源４が、メータ５に対する無反射ガラスであるメータガラス６側へ向かって配置されている。
【００１０】
メータガラス６は、上記音源４とドライバの頭部７付近をそれぞれ焦点とする破線の略楕円曲面Ａの一部、もしくは、それと近似した曲面を形成している。
なお、ドライバ頭部７の位置は、ドライバの座高、シートの前後位置等によってある程度変動するため、後者の焦点は平均的なドライバ頭部７の位置にあるとして、メータガラス６の曲面が定められている。
【００１１】
従って、インスツルメントパネル近辺に配置された音源４からメータガラス６側へ向かって、図中に２点鎖線で示されているように音が放射されると、その音は、音源４を一方の焦点とする略楕円曲面、もしくは、それと近似した曲面のメータガラス６により反射されて、他方の焦点であるドライバ頭部７の付近へ効率良く集束される傾向がある。
【００１２】
このため、音源４から放射された音が拡散することは確実に抑制されて、上記音はドライバ頭部７へ効率良く届くこととなるので、ドライバはその音を容易に聴取することができるようになると共に、ドライバの聴取性が良好となるので、音源４から出される音量を下げてもドライバには明確に音の内容を聴取することができ、かつ、ドライバ以外の乗員へ上記音が伝播することが抑制されるため、上記乗員に対しては上記音による煩わしさを容易に軽減させることができて、実用上大層便利である。
【００１３】
また、音源４はメータフード１の下面、または、コラム３の上面等に設けられていて、メータガラス６を通してメータ５を見るドライバの視界からは容易に外すようにすることが可能となるため、インスツルメントパネル近辺における美観を損ねないように構成できる利点がある。
【００１４】
図３及び図４における実施例では、車両のメータフード１、または、ステアリングコラム３等の内部に音源４が配置されていて、それぞれ音源４から放射された音の音道開口１０がインスツルメントパネル近辺でメータ５に対するメータガラス６側へ向かって配置され、メータガラス６は、上記音道開口１０とドライバの頭部付近とをそれぞれ焦点とする略楕円曲面の一部、もしくは、それと近似した曲面を形成している。
【００１５】
従って、インスツルメントパネル近辺に配置された音道開口１０からメータガラス６側へ向かって、図中に２点鎖線で示されているように音が放射されると、その音は、音道開口１０を一方の焦点とする略楕円曲面、もしくは、それと近似した曲面のメータガラス６により反射されて、他方の焦点であるドライバ頭部付近へ効率良く集束される傾向があるので、上記各実施例と同等の作用効果を発揮することができる。
【図面の簡単な説明】
【００１６】
【図１】本発明の実施例における要部の概略配置図。
【図２】本発明の他の実施例における要部の概略配置図。
【図３】本発明の他の実施例における要部の概略配置図。
【図４】本発明の他の実施例における要部の概略配置図。
【符号の説明】
【００１７】
１  メータフード
３  ステアリングコラム
４  音源
６  メータガラス
７  ドライバ頭部
１０  音道開口
【図１】
2006160169.tif 000003
【図２】
2006160169.tif 000004
【図３】
2006160169.tif 000005
【図４】
2006160169.tif 000006
(57)【要約】【課題】  従来の飲料用の紙パック、ジュース缶等の飲料用容器の開ける方法は、ただ、いまだに、手の指で開ける。年寄り、児童、指つめの長い人、ある障害者に対してはかなり不便ような問題があった。【解決手段】  飲料容器の多用開器の本体に缶開け部を形成し缶開け部の先端は缶のフタに入れで槓杆作用により簡単に開けることができる。本体に切り開け部、乘せ部を形成し紙パックの折り密封口を省力的、簡単に切り開けることができる。本体に挿し開け部を形成し挿し開け部は紙パックの折り密封口を広げた三角状の交差点の所に插入して張ばると注ぎ口は簡単に開けることができる。【選択図】  図６
2006160364.tif 000002
【特許請求の範囲】
【請求項１】
本体にジュース缶を開缶のために缶開部を形成した飲料用容器の多用開器。
【請求項２】
本体に飲料用の紙バックの折り密封口を切り開けるのために刃部を付けて切り開け部を形成し紙バックの注ぎ口を開けるのために円錐状ような挿し開部を形成し折り密封口の上に挟んで乗せるために乘背部を形成した飲料用容器の多用開器。
【発明の詳細な説明】
【技術分野】
【０００１】  本発明は、飲料用の紙バック、ジュース缶等の飲料用の容器を省力、簡単に開けるために図った飲料用容器の多用開器に関する。
【背景技術】
【０００２】  従来の飲料用の紙バックには、注ぎ口の開ける方法にとしてはいろいろの考案がある、ただ、いまだに手の指で開ける方法は変わってない。まだ、ジュース缶にも飲む時に手の指で缶のフタを開けて飲む。【０００３】  手で飲料用の紙バック、ジュース缶等の飲料用容器を開けることは、年寄り、児童、指つめの長い人、ある障害者に対しては力が弱いから簡単に開けることは難しい。まだ、指つめの長い人はジュース缶を開ける時に長い指つめの損傷心配することがある。【０００４】
【特許文献１】  特開２００３−１１２７２７号  公報
【発明の開示】
【発明が解決しようとする課題】
【０００５】  以上に述べた従来の飲料用の紙バック、ジュース缶等の飲料用容器の開けることでは、年寄り、児童、指つめの長い人、ある障害者に対しては難しいことである。【０００６】  本発明は、このような従来の開ける方法が有していた問題を解決しようとするものであり、飲料用の紙バック、ジュース缶等の飲料用容器を開けることは省力、簡単に実現することを目的とするものである。
【課題を解決するための手段】
【０００７】  本発明は、上記目的を達成するために本体にジュース缶を開缶のために缶開け部を形成する、飲料用の紙バックの折り密封口を切り開けるのために刃部を付けて切り開け部を形成する、紙バックの注ぎ口を開けるために円錐状ような挿し開け部を形成する、本体は、折り密封口の上に挟んて乘せるために乘せ部を形成する。
【発明の効果】
【０００８】  上述したように本発明の飲料用容器の多用開器は省力的、簡単に飲料用の紙バックを開けることができるし、ジュース缶の開缶にも長い指つめの損傷心配なしで簡単に開けることもできる、飲料用容器の多用開器を提供できる。
【発明の実施するための最良の形態】
【０００９】  以下、本発明の実施の形態を図１−図８に基づいて説明する。
【００１０】  図においては、本体２に鞋状様なジュース缶の缶開け部１を形成する。ジュース缶を開けるじにジュース缶の缶開け部１は図８ように鞋状の先端部が缶のフタに入れで槓杆作用により省力的、簡単に長い指つめの損傷心配なしで開けることができる。
【００１１】  本体２飲料用の紙パックの折り密封口を切り開けるために刃部を付けて切り開け部４と本体２は折り密封口の上に乘せるための乘せ部３を形成する。紙パックの折り密封口を切り開ける時にまず、本体２は乘せ部３によって折り密封口の上に乘せる。切り開け部４は図５ように折り密封口下の三角状の空間に一杯で入れで乘せ部３の先端部を中心にして手は缶開け部１を持って回ると折り密封口は切り開けられる、ついに、手の親指で折り密封口を広げる。
【００１２】  本体２に形成した円錐状ような挿し開け部５は図７ように飲料用の紙パックの注ぎ口部を広げた紙パック上部が三角状になる、挿し開け部５は、その三角状の交差点の所に插入して張ばりと粘着した注ぎ口は、簡単に開けることはできる。
【００１３】  本発明の飲料用容器の多用開器は、飲料用の紙パック、ジュース缶等の飲料用容器を省力的、簡単に開けることができるし、年寄り、児童、指つめ長いの人、ある障害者に対しては便利なものになることができる。デザインによれば精巧的おしゃれな携帯用のものになることもできる。
【図面の簡単な説明】
【００１４】
【図１】本発明の飲料用容器の多用開器の構造図
【図２】図１構造図の右視図
【図３】図１における切り開け部４のＡ−Ａ断面図
【図４】図１における挿し開け部５のＢ−Ｂ断面図
【図５】本発明の折り密封口を切り開けるの実施形態を示すである
【図６】本発明の折り密封口を切り開けるの実施形態を示すである
【図７】本発明の紙パックの注ぎ口部を挿し開けるの実施形態を示すである
【図８】本発明のジュース缶のフタを開けるの実施形態を示すである
【符号の説明】
【００１５】１      缶開け部
２      本体
３      乘せ部
４      切り開け部
５      挿し開け部
６      飲料用の紙パック
７      ジュース缶
【図１】
2006160364.tif 000003
【図２】
2006160364.tif 000004
【図３】
2006160364.tif 000005
【図４】
2006160364.tif 000006
【図５】
2006160364.tif 000007
【図６】
2006160364.tif 000008
【図７】
2006160364.tif 000009
【図８】
2006160364.tif 000010
(57)【要約】【課題】  ディスクのデータ入力面上の埃を容易に除去できるようにする。【解決手段】内部にディスクを収納するディスクケースにおいて、ディスクケース１内にクリーナー１０が、収納されるディスクＤのデータ入力面にそのクリーナー１０面が接触状態となるように配置されてなるもの。【選択図】  図１
2006160361.tif 000002
【特許請求の範囲】
【請求項１】
内部にディスクを収納するディスクケースにおいて、
前記ディスクケース内にクリーナーが、前記収納されるディスクのデータ入力面にそのクリーナー面が接触状態となるように配置されてなることを特徴とするディスクケース。
【発明の詳細な説明】
【技術分野】
【０００１】  この発明は、各種ディスクの収納ケースに関する。
【背景技術】
【０００２】  ＣＤやＤＶＤのディスクの場合、そのデータ入力面に埃が付いているとそれが障害となってデータ再生が良好に行なわれない。したがって、再生前にはその埃を除去するが、テッシュペーパー等により拭くとディスク面に傷が付いたり、また、テッシュペーパーの紙粉が付着することとなる。
【発明の開示】
【発明が解決しようとする課題】
【０００３】  したがって、専用の布等のクリーナーを用いて拭くようにしているが、清浄な状態のクリーナーを常に備えておくことは難しい問題がある。【０００４】  この発明は上記の問題点を解消するもので、ディスクのデータ入力面上の埃を容易に除去できるようにするものである。
【課題を解決するための手段】
【０００５】  この発明では、内部にディスクを収納するディスクケースにおいて、前記ディスクケース内にクリーナーが、前記収納されるディスクのデータ入力面にそのクリーナー面が接触状態となるように配置されてなる構成とする。【０００６】  上記構成によれば、ディスクケース内で表面を指で軽く押さえる等してディスクを回転させることで、回転移動するデータ入力面の埃等がクリーナー面により拭き取られる。
【発明の効果】
【０００６】  この発明によれば、別途クリーナーを用いることなくディスクケース内において随時容易にディスクの埃等を除去できるようになる。クリーナーはディスクケース内にあることで外部の埃等がついて汚れることがなく清浄に保たれるという付加的利点も有する。
【発明を実施するための最良の形態】
【０００７】  図１はこの発明のディスクケースの開き状態を示す斜視図、図２はケース本体側のディスク収納時の断面図である。ディスクケース１は透明のケース本体２及びと蓋３と、ケース本体２内に装着されるディスクＤの白色の載置プレート４とからなり、その基本構成は従来のものと同様である。９は紙シートでありその外面にディスクＤとしてミュージックＣＤが収納される場合にはそこに収録される曲名等が記されている【０００８】  載置プレート４にはディスクＤの中央の円形穴に嵌入される突出部６が形成されるとともに、その周囲に円形の段部７を備え、さらにその周囲が一段低い底面部８とされており、この底面部８上にクリーナー１０が設けられている。【０００９】  クリーナー１０は、図３に示すように、不織布よりなるクリーナー本体１１の裏面に軟質透明の樹脂シート１２が一体に取り付けられている。クリーナー本体１１面にはデザイン模様１３がプレス印刷により設けられ、樹脂シート１２の下面には特殊加工による微細吸盤が設けられている。そして、クリーナー１０はその樹脂シート１２下面が上記載置プレート４の底面部８上に吸着される状態で装着されている。【００１０】  クリーナー１０の厚みは載置プレート４の段部７の高さとほぼ等しくなるように設計され、ディスクＤが装着された場合にはその裏面のデータ入力面にクリーナー本体１１面が軽く接触する状態となる。そのような状態において表面を指で軽く押さえてディスクＤを回転させることで、回転移動するデータ入力面の埃等がクリーナー本体１１面により拭き取られる。その際、クリーナー１０はその樹脂シート１２下面が上記載置プレート４の底面部８上に吸着されていることでディスクＤと共回りせず、これにより埃等の拭き取りが良好に行なわれる。【００１１】  以下、他の実施形態を説明する。この実施形態ではクリーナー１０として、図４、図５に示すように、円形でクリーナ本体１１と樹脂シート１２間に曲名等を印刷した化粧シート１５を介装したものを用いる。さらに載置プレート４として透明のものを用いるとともに上記の実施形態で用いた紙シート９を用いない構成としている。このような構成により、図６に示すように、ディスクケース１の裏面側において化粧シート１５の曲名等が見えるようにして、紙シート９の省略を可能として製造コストの低減を図るとともに、ディスクケース１の組立性を向上している。
【図面の簡単な説明】
【図１】  この発明実施形態のディスクケースの開き状態を示す斜視図
【図２】  この発明実施形態のケース本体側のディスク収納時の断面図
【図３】  この発明実施形態のクリーナーの部分拡大断面図
【図４】  この発明他の実施形態のディスクケースの開き状態を示す斜視図
【図５】  この発明他の実施形態のクリーナーの部分拡大断面図
【図６】  この発明他の実施形態のディスクケースの裏面図
【符号の説明】
１    ディスクケース
１０  クリーナー
Ｄ    ディスク
【図１】
2006160361.tif 000003
【図２】
2006160361.tif 000004
【図３】
2006160361.tif 000005
【図４】
2006160361.tif 000006
【図５】
2006160361.tif 000007
【図６】
2006160361.tif 000008
(57)【要約】【課題】  納豆容器とたれ容器の素材が不燃物で後処理に環境的な問題があり、たれが容器から飛び散るなど、たれ容器の構造が障害となっている。【解決手段】  納豆容器と納豆たれの取り扱いにおいて手や食器を汚さずに簡便にするとともに、容器素材を廃棄焼却できる環境に適した素材と、納豆のたれで外部を汚さない容器の構造にした、手を汚さずに納豆と納豆のたれを容器ごとシェイクして混ぜ、外部容器へ取り扱いやすくし、その後焼却できる納豆用容器にした。【選択図】  図１
2006160363.tif 000002
【特許請求の範囲】
【請求項１】
納豆のたれを納豆と同一容器の中に流出させ、外部空気孔とたれ注入口をシールドして塞ぎ、中身を納豆容器ごとシェイクして納豆とたれを混ぜ合わせ、他開口部を開くことにより納豆にたれが混ぜ合わせられ状態で手を汚さずに外部に取り出せ、納豆と納豆のたれの容器をそのまま廃棄焼却できる、納豆用容器。
【発明の詳細な説明】
【発明の詳細な説明】
【発明が属する技術分野】
【０００１】  本発明は、手を汚さずに納豆と納豆のたれを取り扱え、使用後にそのまま廃棄焼却できる納豆用容器に関するものである。
【背景技術】
【０００２】  納豆食は、これまで我国古来の優秀な食材であり、現在も全国的に毎食かなりの朝食としての消費がなされている。しかし、これまで市販されている納豆の容器は帯かけフィルムとトップシールがプラスチックのＰＰでできており、容器分部もプラスチックのＰＳ、たれ袋もＰＥ．ＰＥＴといった不燃性の素材がもちいられ、全国で毎日数千個が消費されるについて、環境に適した容器素材ではない。また、たれ袋については、口を開けるときに、飛び散ったり、手につき、不便であるといった欠点があった。また、納豆食を別容器に移した後の始末も不便で、食器に移した場合は、食器の洗浄にもてまどっているという欠点があった。【０００３】  この改善策として、納豆のたれのみは、別の瓶販売がなされているものがある。しかし、これは納豆とたれの調味の適量が安定しないという欠点がある。
【発明が解決しようとする課題】
【０００４】  解決しようとする問題点は、納豆容器とたれ容器の不燃物素材とたれ容器からたれが飛び散るなどその構造が障害となっている。
【課題を解決するための手段】
【０００５】  本発明は、納豆容器と納豆たれの取り扱いを簡便にするとともに、環境に適した素材容器にし、廃棄焼却できる納豆容器とたれ容器の素材と構造について解決することを主要な特徴とする。
【発明を実施するための最良の形態】
【０００６】  納豆の容器素材を焼却可能な牛乳やヨーグルトに使用されている紙質素材にし、納豆の中身が見えるように焼却可能な素材を用い、透明ポリエチレン等で一部フィルムし、納豆に必要な空気孔をたれを注入後シールドしやすくするために一部に集約孔を設け、たれを注入後に外部空気孔をシールドして、シェイクし、納豆とたれを混ぜ合わせ、混ぜ合わさった後に、開口部を空けて中身を出し、空き容器は手を汚さずにそのまま焼却廃棄することができる。納豆のたれは、納豆容器の中に同時梱包するものと、納豆容器の外部に付属したものがあり、内部同時梱包のものは、外部から圧力をかけて内部設置の凹凸ピンでたれ袋を破りたれを流出させてシェイクしてまぜあわせる。外部付属のものは外部注入孔に口を差し込み、たれ容器口の皮膜を納豆容器に設置されているピンで破りたれを注入して、納豆とたれをシェイクして混ぜ合わせる。納豆とたれが混ぜ合わさったら、他方の開講口を空けて中身を流出させることにより、納豆のたれが飛び散ったり、手につくのを防ぎ、使用後はそのまま焼却廃棄することを実現した。納豆容器は、片手でシェイクしやすい形状とした。納豆の糸切たれを使用した場合にはさらに効果的な容器となる。容器の中でシェイクした納豆を容器からだし、ネギや卵、その他のグザイを食器の中でまぜて好みの調合を行える。納豆とたれを手につけることなく、容器はそのまま廃棄できる。
【実施例】
【０００７】  図１は、本発明の内部にたれを内蔵させた実施図である。外部から圧力をかけることで内部のたれが流れだし、納豆と混ざるものである。【０００８】  図２の実施例は、外部からたれを注入する容器の実施図である。
【発明の効果】
【０００９】  以上から、納豆を食する時に、手を汚さずに、たれが飛び散らないようにすることで、これまで以上に納豆を食することができ、毎日全国で数千個の納豆容器の廃棄処理が容易になる。
【図面の簡単な説明】
【００１０】【図１】内部にたれを内蔵させた実施図である。（実施例１）
【図２】外部からたれを注入する容器の実施図である。（実施例２）
【符号の説明】
１  納豆の容器  ２  納豆の空気フィルム（透明）  ３  納豆の空気孔  ４  納豆の空気孔閉鎖シール  ５  納豆取り出し流出口ミシン目開口部  ６  納豆のたれ内蔵部  ７  納豆たれの容器の開口皮膜フィルム  ８  納豆のたれ流出用凸ピン注入口  ９  納豆のたれ注入口閉鎖シール  １０  納豆たれ流出用凸ピン  １１  納豆  １２  納豆たれ  １３  納豆たれ瓶  １４  たれ注入口
【図１】
2006160363.tif 000003
【図２】
2006160363.tif 000004
(57)【要約】【課題】  種々の練物チューブを絞り込む際にどうしてもうまく絞れず、でこぼこになり残留物ができて不経済であった。【解決手段】  簡素な構造でチューブを絞り込むことによって残留物が残らず、作業途中も取り付けたまま作業を中断しておいても苦にならないもの。【選択図】    図１
2006160365.tif 000002
【特許請求の範囲】
【請求項１】
人差指ガード（２）と中指ガード（３）と親指ガード（４）にそれぞれの指を挿入し、コラム（１）を開きチューブの後端を挟み、ハンドル（５）を右回しすることによりチューブを絞る「チューブ絞り」。
【発明の詳細な説明】
【技術分野】
【０００１】  この発明は、種々の練り物チューブの使用に関し、常に絞り込むことによって内部の練り物を残さず使用できることを目的としたチューブ絞り。
【背景技術】
【０００２】  従来図５のようなものはあったが、形が大きく作業性がよくなかった。
【発明の開示】
【発明が解決しようとする課題】
【０００３】  これはチューブを取り付ける際と、取り外す際に片手で作業が出来ず、又イナーシャが大きく、破損しやすいものであった。
本発明は、簡単にチューブを絞れ、又簡単にチューブを取り外すことができ、これらの欠点を取り除くためになされたものである。
【課題を解決するための手段】
【０００４】  指ガード（１）、（２）、（３）に各指を挿入し、コラムの開閉を容易にし、ハンドルを右手で回すことにより、容易にチューブを絞れるようにしたものである。
【発明の効果】
【０００５】  左手と右手の一体の作業で、簡単にチューブが絞れ、又非常にコンパクトなので、絞り作業途中でそのままの状態で置いておくことが出来、非常に便利である。
【発明を実施するための最良の形態】
【０００６】  人差指ガード（２）、中指ガード（３）、親指ガード（４）に各指を挿入し、コラムを開閉し、チューブの後端を挟み、右手でハンドル（５）を右回転させることにより軸（６）と共回り軸（７）が回り、コラム（１）が回転し、チューブを絞り込む。
【実施例１】
【０００７】  指ガードとハンドル等を真鍮製、あるいはアルミニューム製とし、コラムを硬質ゴム製とし強度を持たせることにより、耐久性が増す。
【図面の簡単な説明】
【０００８】
【図１】  本発明の斜視図である。
【図２】  本発明の断面図である。
【図３】  軸（６）と共回り軸（７）の支点図。
【図４】  コラム断面図。
【図５】  従来のもの。
【符号の説明】
【０００９】１  コラム
２  人差指ガード
３  中指ガード
４  親指ガード
５  ハンドル
６  軸
７  共回り軸
【図１】
2006160365.tif 000003
【図２】
2006160365.tif 000004
【図３】
2006160365.tif 000005
【図４】
2006160365.tif 000006
【図５】
2006160365.tif 000007
(57)【要約】      （修正有）【課題】脳機能改善作用や抗ガン作用を有する新規な自然飲料の提供。具体的には、活性酸素除去効果、癌予防効果、ボケ予防効果、ボケ治療効果、記憶力増大効果、脳機能活性効果、脳血栓治療効果、血流増大効果を提供する。【解決手段】酒粕と蜂蜜とミルクとココア粉末と玉葱成分抽出液を適度の濃度で混ぜる事により今迄知られていなかった新しい様々な効果を生み出す。【選択図】なし【特許請求の範囲】
【請求項１】
１、  酒粕と蜂蜜とミルクとココア粉末と玉葱成分抽出液を混ぜて
「活性酸素除去効果、癌予防効果、ボケ予防効果、ボケ治療効果、記憶力増大効果、脳機能活性効果、脳血栓治療効果、脳血栓予防効果、血流増大効果」を高めた飲料に対して特許を請求します。
【発明の詳細な説明】
【技術分野】「栄養効果、病気予防効果、病気治療効果、健康増進効果、血流増大効果、脳機能活性効果の高い飲料の開発」
「背景技術」
「酒粕と蜂蜜とミルクとココア粉末と玉葱成分抽出液を混ぜる事により高度の相乗効果により病気予防効果及び病気治療効果及び健康増進効果及び脳機能活性化効果が期待出来る」
「発明の開示」発明が開示しようとする課題」【０００３】「酒粕と蜂蜜とミルクとココア粉末と玉葱成分抽出液を混ぜる事により種々のポリフェノール類やビタミン類の相乗的働きが期待出来る為相乗効果で病気予防効果及び病気治療効果及び健康増進効果及び脳機能活性化効果が期待出来る」
「課第を解決する為の手段」
「酒粕と蜂蜜とミルクとココア粉末と玉葱成分抽出液を適度の濃度（目的効用により濃度を変化させる）で混ぜる事により病気予防効果及び病気治療効果及び健康増進効果及び脳機能活性化効果が期待出来る相乗効果を生み出す」
「実施例」
「産業上の利用可能性」
新しい健康機能飲料の作成
(57)【要約】【課題】  解決しようとする課題は、不織布とグラスウールからなるインシュレータの周縁の厚さが厚いとインシュレータの使用時に該周縁からの油や水のグラスウール内への浸入を許し、自動車用インシュレータとしての機能の１つである吸音性能を著しく低下させ、また逆に該周縁の厚さが薄いと軽微な衝撃でも欠け易くなって商品性を損ない易いことや、該グラスウールの鋭利な切断面によって作業者が手を怪我し易い等の点である。【解決手段】周縁の厚さを２．０ｍｍ以下とすれば油や水の浸入はほとんどないので吸音性能の低下もほとんどなく、周縁の厚さを０．５ｍｍ以上とすれば周縁が軽微な衝撃で欠けるようなことがなく、グラスウールの切断面も鋭利とはならないので作業者が手を怪我するおそれもない。【選択図】図２
2006160263.tif 000002
【特許請求の範囲】
【請求項１】
不織布とグラスウールからなるインシュレータにおいて周縁の厚さが０．５ｍｍ以上、且つ２．０ｍｍ以下であることを特徴とするインシュレータ
【発明の詳細な説明】
【技術分野】
【０００１】
本発明は、自動車等に使用される吸音用インシュレータに関する。
【背景技術】
【０００２】
従来、防油、防水用不織布付きグラスウール製の吸音用インシュレータとしては特許文献１に示されるようなものがある。
【特許文献１】特開平５−５０５４５
【０００３】
しかし、該インシュレータの周縁の厚さが厚いとインシュレータの使用時に該周縁からの油や水のグラスウール内への浸入を許し、自動車用インシュレータとしての機能の１つである吸音性能を著しく低下させることがあった。
【０００４】
また逆に該周縁の厚さが薄いと軽微な衝撃でも欠け易くなって商品性を損ない易いことや、該グラスウールの鋭利な切断面によって作業者が手を怪我し易い等の欠点があった。
【発明の開示】
【発明が解決しようとする課題】
【０００５】
解決しようとする課題は、該インシュレータの周縁の厚さが厚いとインシュレータの使用時に該周縁からの油や水のグラスウール内への浸入を許し、自動車用インシュレータとしての機能の１つである吸音性能を著しく低下させ、また逆に該周縁の厚さが薄いと軽微な衝撃でも欠け易くなって商品性を損ない易いことや、該グラスウールの鋭利な切断面によって作業者が手を怪我し易い等の点である。
【課題を解決するための手段】
【０００６】
本発明は、不織布とグラスウールからなるインシュレータにおいて周縁の厚さを０．５ｍｍ以上、且つ２．０ｍｍ以下とすることを最も主要な特徴とする。
【発明の効果】
【０００７】
本発明の不織布とグラスウールからなるインシュレータにおいて周縁の厚さが２．０ｍｍ以下であれば油や水の浸入はほとんどないので該吸音性能の低下がほとんどなく、該周縁の厚さが０．５ｍｍ以上であれば該周縁が軽微な衝撃で欠けるようなこともなく、該グラスウールの切断面も鋭利とはならず作業者が手を怪我するおそれも無いという利点がある。
【発明を実施するための最良の形態】
【０００８】
油や水の浸入による吸音性能の低下が無く、周縁が軽微な衝撃で欠けるようなこともなく、切断面が鋭利とはならないインシュレータを得るという目的を、周縁の厚さを０．５ｍｍ以上、且つ２．０ｍｍ以下とすることにより、製品の外観や経済性を損なわずに実現した。
【実施例１】
【０００９】
図１、図２は本発明の１実施例を示す断面図である。図１に示すように、自動車用インシュレータ４を構成するところのグラスウール１に防油、防水用不織布２が重ねられて、外周の不要部ａをトリムし易いように薄肉部３が設けられるよう形成された熱源付きフォーミング用金型（図示せず）により熱プレス成形されている。
【００１０】
次に図２に示すように該不要部ａをトリミング用金型（図示せず）によりカットし、該薄肉部３が該インシュレータ４の周縁ｂとなるようにする。この時該周縁ｂの厚さｃが厚いと該自動車用インシュレータ４の使用時に該周縁ｂからの油や水の該グラスウール１内への浸入を許し、自動車用インシュレータとしての機能の１つである吸音性能を著しく低下させることになる。
【００１１】
また逆に該周縁ｂの該厚さｃが薄いと軽微な衝撃でも欠け易くなって商品性を損ないかねず、更に該グラスウール１の鋭利な切断面によって作業者が手を怪我し易い。
【００１２】
該周縁ｂの厚さｃを色々変えて実験をした結果、該周縁ｂの厚さｃが２．０ｍｍ以下であれば該油や該水の浸入はほとんどなく、該吸音性能の低下もほとんどないことが判明した。
【００１３】
また、該周縁ｂの厚さｃが０．５ｍｍ以上であれば該周縁ｂが軽微な衝撃で欠けるようなこともなく、該グラスウールの切断面も鋭利とはならず作業者が手を怪我するおそれも無くなることを確認した。
【００１４】
以上実施例に述べたように本発明によれば、不織布とグラスウールからなるインシュレータにおいて周縁の厚さを０．５ｍｍ以上、且つ２．０ｍｍ以下としたことで油や水の浸入がほとんどなく従って吸音性能の低下もほとんどなく、周縁が軽微な衝撃で欠けるようなこともなく、切断面も鋭利とはならず作業者が手を怪我するおそれの無いインシュレータを得ることができるという効果がある。
【産業上の利用可能性】
【００１５】
自動車等に使用される吸音用インシュレータとして利用可能である。
【図面の簡単な説明】
【００１６】
【図１】本発明の１実施例を示すトリミング前の断面図
【図２】本発明の１実施例を示すトリミング後の断面図
【符号の説明】
【００１７】
１    グラスウール
２    不織布
３    薄肉部
４    インシュレータ
ａ    不要部
ｂ    周縁
ｃ    厚さ
【図１】
2006160263.tif 000003
【図２】
2006160263.tif 000004
(57)【要約】【課題】  従来のショッピングカートは、北国、とりわけ降雪量が多い雪国において冬期間利用するときに、雪が車輪に付着して車輪が雪だるま状態を呈し、又、車輪が雪に埋まる状態を呈し、利用不可能な状態に陥るという問題があった。【解決手段】  従来のショッピングカートにおいて、底部の一部分を橇化に図ることにより、一年間の約六ヶ月間を積雪が多い環境で暮らす北国の人々にとって、取り分け、高齢化社会におけるお年寄りが、冬期間にもショッピングカートが利用でき、暮らしに便利なオールシーズン利用可能な橇付きショッピングカートを提供する事ができる。【選択図】図１
2006160232.tif 000002
【特許請求の範囲】
【請求項１】
ショッピングカートのオールシーズン利用化を図るため、ショッピングカートの底部に二輪車と共に新たに橇を併設したショッピングカート。
【請求項２】
橇が支持体の一部を担い、プラスチック製の品質より成る事を特徴とする請求項１のショッピングカート。
【請求項３】
使用時と橇使用時の目的に合わせて、車輪の位置が上下する事を特徴とする請求項１のショッピングカート。
【請求項４】
本体ハンドルが、伸縮式、または折り畳み可能な事を特徴とする請求項１のショッピングカート。
【発明の詳細な説明】
【技術分野】
【０００１】  本発明は、オールシーズン利用化を図ったショッピングカートに関する。
【背景技術】
【０００２】  従来の折り畳み式ショッピングカートでは、車輪によって移動が可能である。その多くは、二輪車、四輪車を有するものである（例えば、特許文献１参照）。
【特許文献１】特開２００２−２２５７１９号公報
【発明の開示】
【発明が解決しようとする課題】
【０００３】  以上に述べた従来のショッピングカートでは、冬季間に積雪が多い北国での使用は車輪に雪が付着し、車輪が雪だるま状になり、車輪の回転を妨げ、又、積載量により車輪が雪道に埋まり雪道での使用が不可能であった。【０００４】  本発明は、このような従来の構成が有していた問題を解決しようとするものであり、冬季間雪道でもショッピングカートが使用でき、ショッピングカートのオールシーズン利用可能を実現する事を目的とするものである。
【課題を解決するための手段】
【０００５】  そして、本発明は上記目的を達成するためにショッピングカートの底部に従来より具備してある車輪に加え、新たに橇を併設したものである。
【発明の効果】
【０００６】  上述したように本発明のショッピングカートは、冬季間北国における雪道での利用が可能になる。おいては高齢化社会におけるお年寄りが冬季間雪道でのショッピングカートの利用が可能になり、便利で健やかな暮らしを提供できる一助になる。
【発明を実施するための最良の形態】
【０００７】  以下、本発明の実施の形態を図１〜図１１に基づいて説明する。【０００８】  図１においては、橇付きショッピングカートの橇使用時の状態を示す正面斜視図である。図２においては、同背面斜視図である。【０００９】  図１においては、橇取付け位置と車輪取付け位置は共に後側として、低部の橇は底部より後側に立ち上がり、その立ち上がりは本体バッグの高さのおおよそ３分の１までとし、立ち上がり角は緩いカーブをなすものとする。【００１０】  図３においては、橇付きショッピングカートの車輪使用時の状態を示す正面斜視図である。図４においては、同背面斜視図である。【００１１】  図５においては、橇付きショッピングカートの背面図である。同図を用いて橇使用時と車輪使用時の切り替え動作を説明する。切り替えハンドルを上げると車輪位置が上側に上がり、ロックされる。切り替えハンドルを上げた状態では、橇底部よりも上側に位置するため、橇底部が地面に接触し、橇による走行が得られる。
切り替えハンドルを下げた状態では、車輪位置が下がりロックされる。切り替えハンドルを下げた状態では、車輪底部が、橇底部より地面に近い場所に位置するため、橇部が地面に接触する事なく、車輪による走行が得られる。【００１２】  図６においては、橇使用時の橇付きショッピングカートの正面図である。図７においては車輪使用時の橇付きショッピングカートの正面図である。【００１３】  図８においては、橇使用時の橇付きショッピングカートの側面図であり、橇による走行が得られている状態を示す。図９においては、車輪使用時の橇付きショッピングカートの側面図であり、車輪による走行が得られている状態を示す。【００１４】  切り替えハンドルは車輪位置上側、または下側の位置でロックされるが、切り替えハンドルのグリップ部に設けられたスイッチによって開放される機構を持つ。【００１５】  切り替えハンドルは、ロック開放時、すなわち切り替えハンドルを上下に移動する最中にはロックされない機構を持つ。【００１６】  橇付きショッピングカートの本体ハンドルは伸縮式、または折り畳み式とし、未使用時にはコンパクトに収納できる構造を有する。【００１７】  図１０においては、本体ハンドルに伸縮式を採用した場合の橇付きショッピングカートの側面図である。同図は車輪使用時の側面図である。【００１８】  図１１においては、本体ハンドルに折り畳み式を採用した場合の橇付きショッピングカートの側面図である。同図は車輪使用時の側面図である。【００１９】  以上のように本実施形態によれば冬季間雪道でスムーズに使用できる効果が得られオールシーズン利用可能となる。
【図面の簡単な説明】
【００２０】
【図１】  本発明の実施形態を示す橇付きショッピングカートの橇使用時正面斜視図
【図２】  同背面斜視図
【図３】  同車輪使用時の正面斜視図
【図４】  同背面斜視図
【図５】  橇付きショッピングカートの背面図
【図６】  同橇使用時の正面図
【図７】  同車輪使用時の正面図
【図８】  同橇使用時の側面図
【図９】  同車輪使用時の側面図
【図１０】  同本体ハンドルに伸縮式を採用した場合の側面図
【図１１】  同本体ハンドルに折り畳み式を採用した場合の側面図
【符号の説明】
【００２１】  １  本体ハンドル
２  本体ハンドルのグリップ
３  切り替えハンドル
４  切り替えハンドルのグリップ
５  橇
６  車輪
７  ストッパ
８  バッグ
９  バッグのふた
【図１】
2006160232.tif 000003
【図２】
2006160232.tif 000004
【図３】
2006160232.tif 000005
【図４】
2006160232.tif 000006
【図５】
2006160232.tif 000007
【図６】
2006160232.tif 000008
【図７】
2006160232.tif 000009
【図８】
2006160232.tif 000010
【図９】
2006160232.tif 000011
【図１０】
2006160232.tif 000012
【図１１】
2006160232.tif 000013